(57)【要約】【課題】管理者が指示した条件とは異なる条件を設定した縫製装置と管理者が指示した条件を設定した縫製装置を区別可能な情報処理システム、情報処理装置、及び情報処理方法を提供すること。【解決手段】  情報処理システムは複数の端末装置、情報処理装置を備える。複数の端末装置は各々、対応する縫製装置の識別情報と当該縫製装置の設定条件を対応付けて情報処理装置に送信する。情報処理装置の制御部は複数の端末装置の各々が送信した縫製装置の識別情報と設定条件を取得する（Ｓ１１）。制御部は取得した複数の設定条件の内、記憶装置が記憶する作業工程が同じである複数の縫製装置の各々の識別情報と設定条件を比較可能に情報処理装置の表示部に表示する（Ｓ１９）。【選択図】図７
2020121063.tif 000002
【特許請求の範囲】
【請求項１】
複数の縫製装置の各々に対応して有し、対応する前記縫製装置に関する情報を送信可能な複数の端末装置と、
前記複数の端末装置の各々と通信可能な通信部、画像を表示可能な表示部、前記複数の縫製装置の各々を識別する識別情報と、当該縫製装置の各々に割り当てた作業工程との対応を記憶する記憶装置、及び制御部を備え、前記複数の縫製装置の各々についての前記情報を処理する情報処理装置と
を備える情報処理システムにおいて、
前記複数の端末装置は各々、前記対応する縫製装置の前記識別情報と当該縫製装置の設定条件を対応付けて前記情報処理装置に送信し、
前記制御部は、
前記複数の端末装置の各々が送信した前記縫製装置の前記識別情報と前記設定条件を取得する条件取得部と、
前記条件取得部が取得した前記複数の設定条件の内、前記記憶装置が記憶する前記作業工程が同じである複数の前記縫製装置の各々の前記識別情報と前記設定条件を比較可能に前記表示部に表示する条件表示制御部
として機能する情報処理システム。
【請求項２】
前記情報処理装置は前記複数の縫製装置の内、前記設定条件を前記表示部に表示する前記縫製装置を入力する入力部を更に備え、
前記制御部は、前記条件表示制御部が表示する前記複数の縫製装置の内の、前記入力部が入力した前記縫製装置の前記設定条件を前記表示部に表示する特定条件表示部として更に機能することを特徴とする請求項１に記載の情報処理システム。
【請求項３】
前記記憶装置は前記作業工程毎に前記設定条件の適正範囲を記憶し、
前記条件表示制御部は、前記記憶装置が記憶する前記作業工程が同じである前記複数の縫製装置の各々の前記識別情報と前記設定条件を、当該設定条件が前記記憶装置が記憶する前記適正範囲内か否かを区別可能に前記表示部に表示することを特徴とする請求項１又は２に記載の情報処理システム。
【請求項４】
前記設定条件は、前記端末装置に対応する前記縫製装置で縫製する縫製模様、縫製速度、縫目長さ、及び縫製に必要なパラメータに関する縫製条件、並びに当該縫製装置が使用するソフトウェアのバージョン情報の少なくとも何れかを含むことを特徴とする請求項１から３の何れかに記載の情報処理システム。
【請求項５】
前記端末装置に対応する表示装置を更に備え、
前記制御部は、前記記憶装置が記憶する前記適正範囲内にない前記設定条件を、前記表示装置に警告表示する表示指示を前記端末装置に送信する警告送信部として更に機能し、
前記端末装置は、前記情報処理装置から前記表示指示を取得した時、前記表示装置に前記設定条件が前記適正範囲内にないことを示す警告メッセージを表示することを特徴とする請求項３に記載の情報処理システム。
【請求項６】
前記端末装置は前記縫製装置であり、
前記制御部は、前記記憶装置が記憶する前記適正範囲に入らない前記設定条件を送信した前記縫製装置に、前記適正範囲となる前記設定条件を送信する条件送信部として更に機能し、
前記縫製装置は前記条件送信部が送信した前記設定条件を記憶することを特徴とする請求項３又は５に記載の情報処理システム。
【請求項７】
複数の縫製装置の各々に対応して有する複数の端末装置の各々と通信可能な通信部と、
画像を表示可能な表示部と、
前記複数の縫製装置の各々を識別する識別情報と、当該縫製装置の各々に割り当てた作業工程との対応を記憶する記憶装置と、
制御部とを備え、前記複数の縫製装置の各々についての情報を処理する情報処理装置において、
前記制御部は、
前記複数の端末装置の各々が送信した前記縫製装置の前記識別情報と当該縫製装置の設定条件を取得する条件取得部と、
前記条件取得部が取得した複数の前記設定条件の内、前記記憶装置が記憶する前記作業工程が同じである複数の前記縫製装置の各々の前記識別情報と前記設定条件を比較可能に前記表示部に表示する条件表示制御部
として機能する情報処理装置。
【請求項８】
複数の縫製装置の各々に対応して有する複数の端末装置の各々と通信可能な通信部と、
画像を表示可能な表示部と、
前記複数の縫製装置の各々を識別する識別情報と、当該縫製装置の各々に割り当てた作業工程との対応を記憶する記憶装置と、
制御部とを備える情報処理装置の前記制御部が実行する、前記複数の縫製装置の各々について情報を処理する情報処理方法において、
前記複数の端末装置の各々が送信した前記縫製装置の前記識別情報と当該縫製装置の設定条件を取得する条件取得工程と、
前記条件取得工程で取得した複数の前記設定条件の内、前記記憶装置が記憶する前記作業工程が同じである複数の前記縫製装置の各々の前記識別情報と前記設定条件を比較可能に前記表示部に表示する条件表示制御工程と
を備えることを特徴とする情報処理方法。
【発明の詳細な説明】
【技術分野】
【０００１】
本発明は複数の縫製装置の各々の情報を処理する情報処理システム、情報処理装置、及び情報処理方法に関する。
【背景技術】
【０００２】
複数の縫製装置の作業状況を管理する装置が公知である（例えば、特許文献１参照）。特許文献１に記載の装置は、作業者ＩＤ又は工程ＩＤを特定する情報と期間を含む条件の入力を検知した時、複数の縫製装置から取得した複数の記録データの中から、条件に該当する記録データを抽出し、抽出した記録データを画面に表示する。
【先行技術文献】
【特許文献】
【０００３】
【特許文献１】特開２００９−１６００８４号公報
【発明の概要】
【発明が解決しようとする課題】
【０００４】
従来の装置では管理者は管理者が指示した条件とは異なる条件で作業を実行している縫製装置と管理者が指示した条件通りの作業を実行している縫製装置を区別できない。
【０００５】
本発明の目的は管理者が指示した条件とは異なる条件を設定した縫製装置と管理者が指示した条件を設定した縫製装置を区別可能な情報処理システム、情報処理装置、及び情報処理方法を提供することである。
【課題を解決するための手段】
【０００６】
本発明の第一態様の情報処理システムは、複数の縫製装置の各々に対応して有し、対応する前記縫製装置に関する情報を送信可能な複数の端末装置と、前記複数の端末装置の各々と通信可能な通信部、画像を表示可能な表示部、前記複数の縫製装置の各々を識別する識別情報と、当該縫製装置の各々に割り当てた作業工程との対応を記憶する記憶装置、及び制御部を備え、前記複数の縫製装置の各々についての前記情報を処理する情報処理装置とを備える情報処理システムにおいて、前記複数の端末装置は各々、前記対応する縫製装置の前記識別情報と当該縫製装置の設定条件を対応付けて前記情報処理装置に送信し、前記制御部は、前記複数の端末装置の各々が送信した前記縫製装置の前記識別情報と前記設定条件を取得する条件取得部と、前記条件取得部が取得した前記複数の設定条件の内、前記記憶装置が記憶する前記作業工程が同じである複数の前記縫製装置の各々の前記識別情報と前記設定条件を比較可能に前記表示部に表示する条件表示制御部として機能する。
【０００７】
該情報処理システムは作業工程毎に縫製装置の識別情報と設定条件を表示部に比較可能に表示する。管理者は表示部を参照することで、管理者が指示した条件とは異なる条件を設定した縫製装置と管理者が指示した条件を設定した縫製装置を区別できる。
【０００８】
本発明の第一態様の情報処理システムにおいて、前記情報処理装置は前記複数の縫製装置の内、前記設定条件を前記表示部に表示する前記縫製装置を入力する入力部を更に備え、前記制御部は、前記条件表示制御部が表示する前記複数の縫製装置の内の、前記入力部が入力した前記縫製装置の前記設定条件を前記表示部に表示する特定条件表示部として更に機能してもよい。該情報処理システムは複数の縫製装置の内の特定の縫製装置の設定条件を個別に表示部に表示できる。管理者は表示部を参照することで、管理者が指示した縫製装置の設定条件を確認できる。
【０００９】
本発明の第一態様の情報処理システムにおいて、前記記憶装置は前記作業工程毎に前記設定条件の適正範囲を記憶し、前記条件表示制御部は、前記記憶装置が記憶する前記作業工程が同じである前記複数の縫製装置の各々の前記識別情報と前記設定条件を、当該設定条件が前記記憶装置が記憶する前記適正範囲内か否かを区別可能に前記表示部に表示してもよい。該情報処理システムは設定条件が適正範囲内か否かを区別可能に表示する。該情報処理システムは管理者が設定条件が適正範囲内か否かを判断する手間を省くことができる。
【００１０】
本発明の第一態様の情報処理システムにおいて、前記設定条件は、前記端末装置に対応する前記縫製装置で縫製する縫製模様、縫製速度、縫目長さ、及び縫製に必要なパラメータに関する縫製条件、並びに当該縫製装置が使用するソフトウェアのバージョン情報の少なくとも何れかを含んでもよい。該情報処理システムは縫製模様、縫製速度、縫目長さ、及び縫製に必要なパラメータに関する縫製条件、並びに縫製装置が使用するソフトウェアのバージョン情報の少なくとも何れかを作業工程毎に比較表示できる。
【００１１】
本発明の第一態様の情報処理システムにおいて、前記端末装置に対応する表示装置を更に備え、前記制御部は、前記記憶装置が記憶する前記適正範囲内にない前記設定条件を、前記表示装置に警告表示する表示指示を前記端末装置に送信する警告送信部として更に機能し、前記端末装置は、前記情報処理装置から前記表示指示を取得した時、前記表示装置に前記設定条件が前記適正範囲内にないことを示す警告メッセージを表示してもよい。該情報処理システムは適正範囲内にない設定条件を表示部に警告表示する。管理者は表示部を参照することで、適正範囲内にない設定条件と縫製装置の識別情報を確認できる。
【００１２】
本発明の第一態様の情報処理システムにおいて、前記端末装置は前記縫製装置であり、前記制御部は、前記記憶装置が記憶する前記適正範囲に入らない前記設定条件を送信した前記縫製装置に、前記適正範囲となる前記設定条件を送信する条件送信部として更に機能し、前記縫製装置は前記条件送信部が送信した前記設定条件を記憶してもよい。該情報処理システムの縫製装置は適正範囲内に入る設定条件を確実に使用できる。
【００１３】
本発明の第二態様の情報処理装置は、複数の縫製装置の各々に対応して有する複数の端末装置の各々と通信可能な通信部と、画像を表示可能な表示部と、前記複数の縫製装置の各々を識別する識別情報と、当該縫製装置の各々に割り当てた作業工程との対応を記憶する記憶装置と、制御部とを備え、前記複数の縫製装置の各々についての情報を処理する情報処理装置において、前記制御部は、前記複数の端末装置の各々が送信した前記縫製装置の前記識別情報と当該縫製装置の設定条件を取得する条件取得部と、前記条件取得部が取得した複数の前記設定条件の内、前記記憶装置が記憶する前記作業工程が同じである複数の前記縫製装置の各々の前記識別情報と前記設定条件を比較可能に前記表示部に表示する条件表示制御部として機能する。
【００１４】
本発明の第三態様の情報処理方法は、複数の縫製装置の各々に対応して有する複数の端末装置の各々と通信可能な通信部と、画像を表示可能な表示部と、前記複数の縫製装置の各々を識別する識別情報と、当該縫製装置の各々に割り当てた作業工程との対応を記憶する記憶装置と、制御部とを備える情報処理装置の前記制御部が実行する、前記複数の縫製装置の各々について情報を処理する情報処理方法において、前記複数の端末装置の各々が送信した前記縫製装置の前記識別情報と当該縫製装置の設定条件を取得する条件取得工程と、前記条件取得工程で取得した複数の前記設定条件の内、前記記憶装置が記憶する前記作業工程が同じである複数の前記縫製装置の各々の前記識別情報と前記設定条件を比較可能に前記表示部に表示する条件表示制御工程とを備える。第二態様の情報処理装置、第三態様の情報処理方法は第一態様の情報処理システムと同様の効果を奏する。
【図面の簡単な説明】
【００１５】
【図１】情報処理システム１のシステム構成、情報処理装置２、縫製装置３、４、リムーバブルメディア５の電気的構成を示すブロック図。
【図２】記憶部２４が記憶する記憶領域２４１〜２４５の説明図。
【図３】設定処理の流れ図。
【図４】設定処理の流れ図。
【図５】リムーバブルメディア５及び縫製装置３の何れかが情報処理装置２に送信するバージョン情報６１、バージョン情報記憶領域２４２、情報適正値記憶領域２４４の説明図。
【図６】リムーバブルメディア５及び縫製装置３の何れかが情報処理装置２に送信する縫製条件７１、縫製条件記憶領域２４３、条件適正値記憶領域２４５の説明図。
【図７】情報処理装置処理の流れ図。
【図８】装置一覧表示処理の流れ図。
【図９】リスト８４を含む画面８０の説明図。
【図１０】個別表示処理の流れ図。
【図１１】表示欄８７〜８９、入力キー９０を含む画面８５の説明図。
【発明を実施するための形態】
【００１６】
図１を参照し、情報処理システム１の概要を説明する。情報処理システム１は情報処理装置２、複数の縫製装置３、４、アクセスポイント７を備える。情報処理装置２、縫製装置３、アクセスポイント７はＬＡＮ、ＷＡＮ等のネットワーク８に接続する。縫製装置４に接続したリムーバブルメディア５はアクセスポイント７を介してネットワーク８に無線で接続する。情報処理装置２、縫製装置３、４はネットワーク８を介して通信できる。情報処理システム１は複数の縫製装置３、４の各々の情報を情報処理装置２にて管理する。情報は縫製装置３、４を識別する識別情報、縫製装置３の設定情報を含む。設定情報は縫製装置３、４を駆動するためのソフトウェアのバージョン情報、縫製条件を示す情報を含む。
【００１７】
情報処理装置２の電気的構成を説明する。情報処理装置２は汎用のＰＣである。情報処理装置２は情報処理装置２を制御するＣＰＵ２１を備える。ＣＰＵ２１はＲＯＭ２２、ＲＡＭ２３、記憶部２４、通信Ｉ／Ｆ２５、液晶表示装置（ＬＣＤ）２７、入力部２８、ドライブ装置２９とインタフェース回路を介して電気的に接続する。ＲＯＭ２２はブートプログラム、ＢＩＯＳ等を記憶する。ＲＡＭ２３はタイマ、カウンタ、フラグ、一時的なデータ等を記憶する。記憶部２４はハードディスク等の不揮発性の記憶媒体である。記憶部２４はＣＰＵ２１が実行する処理のプログラム、ＯＳ、各種テーブルを記憶する。
【００１８】
通信Ｉ／Ｆ２５は情報処理装置２がネットワーク８に有線接続する為のインタフェース（例えば、ＬＡＮカード等）である。通信Ｉ／Ｆ２５はアクセスポイント７と無線接続する為のインタフェース（例えば、Ｗｉ−Ｆｉ通信モジュール等）でもよい。ＣＰＵ２１は通信Ｉ／Ｆ２５を介してネットワーク８に接続する他の機器とデータの送受信を行う。ＣＰＵ２１は記憶媒体３０に記憶したプログラムをドライブ装置２９で読出し、記憶部２４に記憶できる。ＬＣＤ２７は各種情報を表示できる。入力部２８はキーボード、マウス等を含む。ドライブ装置２９は半導体メモリ、光ディスク等の記憶媒体３０が記憶した情報を読出すことができる。
【００１９】
縫製装置３の電気的構成を説明する。縫製装置３は縫製装置３を制御するＣＰＵ３１を備える。ＣＰＵ３１はＲＯＭ３２、ＲＡＭ３３、記憶部３４、駆動回路３５、ＬＣＤ３７、操作部３８、ＵＳＢ  Ｉ／Ｆ３９、通信Ｉ／Ｆ５５と非図示のインタフェース回路を介して電気的に接続する。ＲＯＭ３２はブートプログラム等を記憶する。ＲＡＭ３３はタイマ、カウンタ、フラグ、一時的なデータ、各種テーブル等を記憶する。記憶部３４はフラッシュメモリ等の不揮発性の記憶媒体である。記憶部３４はＣＰＵ３１が実行する処理のプログラム、各種テーブル等を記憶する。縫製装置３は上記全ての電気的構成を内蔵しなくてもよい。例えば縫製装置３の電気的構成の一部はインタフェースを介して縫製装置３外部に接続してもよい。該時、縫製装置３は縫製装置３内部に設けた電気的構成を制御する為のＣＰＵ、ＲＯＭ、ＲＡＭの他に縫製装置３外部に設けた電気的構成を制御する為のＣＰＵ、ＲＯＭ、ＲＡＭを設けてもよい。
【００２０】
駆動回路３５はＣＰＵ３１が出力する信号に応じて上軸モータ３６Ａと布送りモータ３６Ｂを駆動し、布を縫製する。上軸モータ３６Ａは非図示の針棒を上下に往復移動する。針棒は縫針を装着する。布送りモータ３６Ｂは非図示の布送り機構を前後方向に移動する。ＬＣＤ３７は縫製に関する各種情報を表示できる。操作部３８はペダル、操作キー、タッチパネル等を含む。ＵＳＢ  Ｉ／Ｆ３９はＵＳＢを介して縫製装置３に機器を接続する為のインタフェースである。ＣＰＵ３１はＵＳＢを介して接続した機器の間でＵＳＢ  Ｉ／Ｆ３９を介してデータを送受信する。通信Ｉ／Ｆ５５は縫製装置３がネットワーク８に有線接続する為のインタフェース（例えば、ＬＡＮカード等）である。
【００２１】
縫製装置３のＣＰＵ３１は設定条件を記憶部３４に書込む。設定条件は、縫製装置３で縫製する縫製模様、縫製速度、縫目長さ、及び縫製に必要なパラメータに関する縫製条件、並びに当該縫製装置３が使用するソフトウェアのバージョン情報の少なくとも何れかを含む。ＣＰＵ３１は記憶部３４に保存した設定条件と縫製装置３の識別情報を、起動時と設定条件変更時に通信Ｉ／Ｆ５５を介して情報処理装置２に送信する。以上の如く縫製装置３は縫製装置３の設定条件を通信Ｉ／Ｆ５５を介して所定のプロトコル（例えば、ＨＴＴＰ）で情報処理装置２に送信する。
【００２２】
縫製装置４の電気的構成を説明する。縫製装置４は縫製装置４を制御するＣＰＵ４１を備える。ＣＰＵ４１はＲＯＭ４２、ＲＡＭ４３、記憶部４４、駆動回路４５、ＬＣＤ４７、操作部４８、ＵＳＢ  Ｉ／Ｆ４９と非図示のインタフェース回路を介して電気的に接続する。ＣＰＵ４１、ＲＯＭ４２、ＲＡＭ４３、記憶部４４、駆動回路４５、ＬＣＤ４７、操作部４８、ＵＳＢ  Ｉ／Ｆ４９は夫々、縫製装置３のＣＰＵ３１、ＲＯＭ３２、ＲＡＭ３３、記憶部３４、駆動回路３５、ＬＣＤ３７、操作部３８、ＵＳＢ  Ｉ／Ｆ３９と対応する。駆動回路４５はＣＰＵ４１が出力する信号に応じて上軸モータ４６Ａと布送りモータ４６Ｂを駆動し、布を縫製する。上軸モータ４６Ａと布送りモータ４６Ｂは夫々、縫製装置３の上軸モータ３６Ａと布送りモータ３６Ｂと対応する。縫製装置４は通信Ｉ／Ｆ５５を備えない点で縫製装置３と異なる。
【００２３】
リムーバブルメディア５はＵＳＢを介して縫製装置４に接続する。リムーバブルメディア５は通信装置５１、記憶部５２、制御部５３を有する。通信装置５１はアクセスポイント７と無線通信を行う為のインタフェース（例えば、Ｗｉ−Ｆｉ通信モジュール等）である。ＣＰＵ４１はリムーバブルメディア５が縫製装置４に接続した状態で、記憶部５２を読出しと書込みが可能な記憶媒体として認識する。記憶部５２は送信領域を備える。縫製装置４のＣＰＵ４１は設定条件を記憶部４４に書込む。設定条件は、縫製装置４で縫製する縫製模様、縫製速度、縫目長さ、及び縫製に必要なパラメータに関する縫製条件、並びに当該縫製装置３が使用するソフトウェアのバージョン情報の少なくとも何れかを含む。ＣＰＵ４１は記憶部４４に保存した設定条件と縫製装置４の識別情報を、起動時と設定条件変更時に記憶部５２の送信領域に書込む。制御部５３は記憶部５２の送信領域に情報が保存したことに応じ、通信装置５１を介して設定条件と縫製装置３の識別情報を情報処理装置２に送信し、送信領域の設定条件を削除する。以上の如くリムーバブルメディア５の制御部５３は電気的に接続した縫製装置４の設定条件を通信装置５１を介して所定のプロトコル（例えば、ＨＴＴＰ）で情報処理装置２に送信する。
【００２４】
図２を参照し、記憶部２４が備える記憶領域２４１〜２４５を説明する。図２に示す如く、記憶部２４は作業工程記憶領域２４１、バージョン情報記憶領域２４２、縫製条件記憶領域２４３、情報適正値記憶領域２４４、条件適正値記憶領域２４５を備える。作業工程記憶領域２４１は情報処理システム１が備える縫製装置３、４を識別する識別情報、作業工程、目標枚数を関連づけて記憶する。作業工程は情報処理システム１で縫製装置３、４を使用して実行する縫製に関わる作業を複数の工程に分類したものである。目標枚数は、単位時間当たりの作業量を示す。目標枚数は例えば、一日に縫製する縫製物の枚数である。具体例の情報処理装置２は八台の縫製装置３、４の情報を記憶する。識別情報がＭ００１−１である縫製装置３の作業工程は作業工程１であり、目標枚数は１５００である。同様に、識別情報がＭ００１−２である縫製装置３の作業工程は作業工程３であり、目標枚数は１５００である。識別情報がＭ００１−３である縫製装置３の作業工程は作業工程５であり、目標枚数は１５００である。識別情報がＭ００２−１〜３である縫製装置３の作業工程は作業工程２であり、目標枚数は５００である。識別情報がＭ００３−１、２である縫製装置４の作業工程は作業工程４であり、目標枚数は７５０である。
【００２５】
バージョン情報記憶領域２４２はリムーバブルメディア５及び縫製装置３の何れかが送信した、縫製装置３、４の識別情報と縫製装置３、４が使用するソフトウェアのバージョン情報を対応付けて記憶する。一例として、縫製装置３、４が使用するソフトウェアは、縫製装置３、４本体が使用するソフトウェア（「メイン」と称す）、上軸モータ３６Ａ、４６Ａが使用するソフトウェア（「モータ」と称す）、操作部３８、４８が使用するソフトウェア（「パネル」と称す）を含む。縫製条件記憶領域２４３はリムーバブルメディア５及び縫製装置３の何れかが送信した、縫製装置３、４の識別情報と縫製装置３、４で設定した縫製条件を対応付けて記憶する。リムーバブルメディア５及び縫製装置３の何れかが送信する縫製条件は作業工程毎に異なる。図６に示す如く、作業工程１、３、５の縫製装置３、４の縫製条件は縫製模様、縫製速度、ピッチ（送り量）、スロースタートを含む。スロースタートは縫い始めの縫製速度の加速度合いを示す。作業工程２の縫製装置３、４の縫製条件は縫製模様、縫製速度、穴寸法、カッター動作モードを含む。穴寸法は縫製物に形成する穴（ボタンホール等）の大きさを示す。カッター動作モードは穴を形成するカッターの動作モードを示す。作業工程４の縫製装置３、４の縫製条件は縫製模様、縫製速度、Ｘスケール、Ｙスケール、スロースタートを含む。Ｘスケールは縫製物の搬送方向を基準に設定するＸＹ座標系のＸ方向の縫製模様に対する拡縮率を示す。ＹスケールはＸＹ座標系のＹ方向の縫製模様に対する拡縮率を示す。情報適正値記憶領域２４４は作業工程毎に縫製装置３、４が使用するソフトウェアのバージョン情報の適正値を記憶する。条件適正値記憶領域２４５は作業工程毎に縫製装置３、４の縫製条件の適正値を記憶する。適正値は情報処理システム１の管理者が予め設定した値である。
【００２６】
図３を参照しリムーバブルメディア５と接続した縫製装置４が実行する設定処理を、縫製装置４の識別情報がＭ００３−１である場合に処理を実行する具体例を用いて説明する。ＣＰＵ４１はＲＯＭ４２又は記憶部４４からプログラムを読出し、プログラムが含む指示に従い設定処理を実行する。ＣＰＵ４１は記憶部４４が記憶する現在の設定条件を取得し（Ｓ１）、ＵＳＢ  Ｉ／Ｆ４９を介して、取得した設定条件と、縫製装置４の識別情報をリムーバブルメディア５の記憶部５２に記憶する。設定条件は縫製装置４で縫製する縫製模様、縫製速度、縫目長さ、及び縫製に必要なパラメータに関する縫製条件、並びに当該縫製装置が使用するソフトウェアのバージョン情報の少なくとも何れかを含む。
【００２７】
本例の設定条件は、縫製装置４が使用するソフトウェアのバージョン情報と縫製装置４の縫製条件を含む。図５に示す如く、ＣＰＵ４１は縫製装置４が使用するソフトウェアのバージョン情報として、メイン、モータ、パネルを含む４種類のソフトウェアのバージョン情報６１を取得する（Ｓ１）。縫製条件の種類は縫製装置４の種類、作業工程に応じて設定する。図６に示す如く、ＣＰＵ４１は具体例の縫製装置４の縫製条件として、縫製模様、縫製速度、Ｘスケール、Ｙスケール、スロースタートを含む４種類の縫製条件７１を取得する（Ｓ１）。リムーバブルメディア５の制御部５３はアクセスポイント７を介して情報処理装置２との通信を確立後、記憶部５２が記憶する、縫製装置４の識別情報Ｍ００３−１と設定条件であるバージョン情報６１、縫製条件７１を情報処理装置２に送信する（Ｓ２）。ＣＰＵ４１は設定処理を終了する。
【００２８】
図４を参照しリムーバブルメディア５と接続していない縫製装置３が実行する設定処理を縫製装置３の識別情報がＭ００１−１である場合に処理を実行する具体例を用いて説明する。ＣＰＵ３１はＲＯＭ３２又は記憶部３４からプログラムを読出し、プログラムが含む指示に従い設定処理を実行する。ＣＰＵ３１は記憶部３４が記憶する現在の設定条件を取得する（Ｓ６１）。Ｓ１と同様に、図５に示す如く、ＣＰＵ３１は縫製装置３が使用するソフトウェアのバージョン情報として、メイン、モータ、パネルを含む４種類のソフトウェアのバージョン情報６２を取得する。図６に示す如く、ＣＰＵ３１は縫製装置３の縫製条件として、縫製模様、縫製速度、ピッチ、スロースタートを含む４種類の縫製条件７２を取得する。ＣＰＵ３１は取得した設定条件であるバージョン情報６２、縫製条件７２と、縫製装置３の識別情報Ｍ００１−１を情報処理装置２に送信する（Ｓ６２）。ＣＰＵ３１は更新要求指示を取得したかを判断する（Ｓ６３）。更新要求指示は作業者が操作部３８を介して入力する指示であり、ＣＰＵ３１は設定条件を更新するか否かの指示の入力を促すメッセージをＬＣＤ３７に表示する。更新要求指示を取得してない時（Ｓ６３：ＮＯ）、ＣＰＵ３１は情報処理装置２が送信した表示指示を取得したかを判断する（Ｓ６７）。表示指示を取得してない時（Ｓ６７：ＮＯ）、ＣＰＵ３１は設定処理を終了する。表示指示を取得した時（Ｓ６７：ＹＥＳ）、ＣＰＵ３１は取得した表示指示に基づき、警告メッセージをＬＣＤ３７に表示する（Ｓ６８）。警告メッセージはＳ６２で送信した設定情報が適正範囲内にないことを報知するメッセージであり、例えば、「メインのソフトウェアバージョンが１．３．００です。２．０．００に更新して下さい」である。ＣＰＵ３１は警告メッセージを所定期間（例えば１分間）、ＬＣＤ３７に表示してもよいし、警告メッセージを表示後、作業者が警告メッセージを確認したことを示す指示を入力した時に警告メッセージの表示を停止してもよい。ＣＰＵ３１は設定処理を終了する。
【００２９】
ＣＰＵ３１は更新要求指示を取得時（Ｓ６３：ＹＥＳ）、情報処理装置２に設定条件の更新要求を送信する（Ｓ６４）。図７を参照して後述するように、情報処理装置２は縫製装置３がＳ６２で送信した設定条件が適正範囲内にない時、適正範囲内となる設定条件を縫製装置３に送信できる。
【００３０】
ＣＰＵ３１は情報処理装置２から設定条件を受信することで取得する（Ｓ６５）。ＣＰＵ３１はＳ６５で受信した設定条件を記憶部３４に記憶して、設定条件を更新する（Ｓ６６）。ＣＰＵ３１は縫製停止中である期間に、設定条件を更新してもよい。ＣＰＵ３１は設定条件を更新したことを作業者に報知するメッセージをＬＣＤ３７に表示してもよい。ＣＰＵ３１は設定処理を終了する。
【００３１】
図７を参照し情報処理装置２が実行する情報処理装置処理について説明する。ＣＰＵ２１はＲＯＭ２２又は記憶部２４からプログラムを読出し、プログラムが含む指示に従い情報処理装置処理を実行する。ＣＰＵ２１はリムーバブルメディア５及び縫製装置３の何れかが送信した縫製装置３、４の識別情報と設定条件を取得したかを判断する（Ｓ１１）。識別情報がＭ００１−１である縫製装置３の設定条件を取得時（Ｓ１１：ＹＥＳ）、ＣＰＵ２１は取得した縫製装置３の識別情報と設定条件を記憶部２４に記憶する（Ｓ１２）。取得した設定条件の内のバージョン情報はバージョン情報記憶領域２４２に作業工程毎に記憶し、設定条件の内の縫製条件は縫製条件記憶領域２４３に作業工程毎に記憶する。図５、図６に示す如く、作業工程毎に記憶するとは、同じ作業工程に対応する識別情報の記憶順序が前後するように、縫製装置３、４の識別情報と設定条件を記憶することを言う。
【００３２】
ＣＰＵ２１はＳ１１で取得した設定条件と、記憶部２４が記憶する適正値を比較し、Ｓ１１で取得した設定条件が適正範囲内にあるかを判断する（Ｓ１３）。設定条件が適正範囲内にあるかの判断方法は適宜設定されればよい。ＣＰＵ２１は例えば、設定情報の内のバージョン情報について、縫製装置３、４の識別情報に依り、縫製装置３、４の識別情報に割り当てた作業工程に対応する適正値を情報適正値記憶領域２４４から取得する。ＣＰＵ２１は取得した適正値とＳ１１で取得したバージョン情報が一致する時、バージョン情報が適正範囲内にあると判断し、両者が互いに異なる時、バージョン情報が適正範囲内にないと判断する。ＣＰＵ２１は設定情報の内の縫製条件について、縫製装置３、４の識別情報に依り、縫製装置３、４の識別情報に割り当てた作業工程に対応する適正値を条件適正値記憶領域２４５から取得する。ＣＰＵ２１は取得した適正値の±１０％以内となる範囲にＳ１１で取得した縫製条件が収まる時、縫製条件が適正範囲内にあると判断し、収まらない時、縫製条件が適正範囲内にないと判断する。設定条件が全て適正範囲内の値である時（Ｓ１３：ＹＥＳ）、ＣＰＵ２１は処理をＳ１１に戻す。
【００３３】
識別情報がＭ００１−１である縫製装置３に割り当てた作業工程は１であり、縫製装置３の縫製条件は何れも適正範囲内であるが、縫製装置３のメイン、モータ、パネルのバージョン情報は何れも適正値ではない。設定条件の少なくとも何れかが適正範囲内にない時（Ｓ１３：ＮＯ）、ＣＰＵ２１はＳ１１で取得した設定条件に対応する縫製装置３が、設定条件を受信できるかを判断する（Ｓ１４）。Ｓ１１で取得した設定条件が縫製装置４がリムーバブルメディア５を介して送信した設定条件である時、ＣＰＵ２１は設定条件を受信可能でないと判断し（Ｓ１４：ＮＯ）、ＣＰＵ２１は処理をＳ１１に戻す。Ｓ１１で取得した設定条件が、縫製装置３が送信した設定条件である時、ＣＰＵ２１は設定条件を受信可能であると判断し（Ｓ１４：ＹＥＳ）、ＣＰＵ２１は縫製装置３から設定条件の更新要求を受信したか判断する（Ｓ１５）。Ｓ１１で取得した設定条件に対応する縫製装置３が図４のＳ６４の処理で設定条件の更新要求を送信した時、ＣＰＵ２１は更新要求を受信したと判断する。縫製装置３から設定条件の更新要求を受信しない時（Ｓ１５：ＮＯ）、ＣＰＵ２１はＳ１１で取得した設定条件に対応する縫製装置３に、記憶部２４が記憶する適正範囲内にない設定条件を、ＬＣＤ３７に警告表示する表示指示を縫製装置３に送信し（Ｓ２４）、処理をＳ１１に戻す。縫製装置３は図４のＳ６７の処理で情報処理装置２が送信した表示指示を取得し、ＬＣＤ３７に警告メッセージを表示する（Ｓ６８）。
【００３４】
縫製装置３から設定条件の更新要求を受信した時（Ｓ１５：ＹＥＳ）、ＣＰＵ２１はＳ１１で取得した設定条件に対応する縫製装置３に、適正範囲内にないと判断した設定条件の適正値を送信する（Ｓ２５）。適正範囲内にないと判断した設定条件がソフトウェアのバージョン情報である時、ＣＰＵ２１は、該設定条件の適正値に対応するソフトウェアのデータをＳ１１で取得した設定条件に対応する縫製装置３に送信する。情報処理装置２はソフトウェアのデータを記憶し、該データを縫製装置３に送信してもよいし、ソフトウェアのデータを記憶したダウンロード先の情報を記憶し、該情報を縫製装置３に送信してもよい。適正範囲内にないと判断した設定条件が縫製条件である時、ＣＰＵ２１は、該縫製条件と縫製条件の適正値をＳ１１で取得した設定条件に対応する縫製装置３に送信する。具体例ではＣＰＵ２１は識別情報がＭ００１−１である縫製装置３にメイン、モータ、パネルのソフトウェアの適正値となるデータを送信する。縫製装置３は図４のＳ６５、Ｓ６６の処理で情報処理装置２が送信した設定条件を受信し、設定条件を更新する。ＣＰＵ２１は処理をＳ１１に戻す。
【００３５】
設定条件を取得していない時（Ｓ１１：ＹＥＳ）、ＣＰＵ２１はＬＣＤ２７に表示する画面の表示モードを変更する指示を取得したかを判断する（Ｓ１６）。表示モードは装置一覧表示、個別表示を含む。装置一覧表示は情報処理装置２が記憶する複数の縫製装置３、４の設定条件を一覧にして表示する表示形態である。個別表示は情報処理装置２が記憶する複数の縫製装置３、４の内、作業者が指定した縫製装置３、４の設定条件を表示する表示形態である。作業者は入力部２８を介して表示モードを指定する指示を入力できる。ＣＰＵ２１は表示モードを変更する指示を取得していない時（Ｓ１６：ＮＯ）、ＣＰＵ２１は表示更新時期かを判断する（Ｓ１７）。ＣＰＵ２１は所定時間（例えば、１分）毎に表示を更新する。所定時間はリムーバブルメディア５及び縫製装置３が情報を送信する時間間隔を考慮して適宜設定する。前回の更新から所定時間が経過した時（Ｓ１７：ＹＥＳ）、又は表示モードを変更する指示を取得時（Ｓ１６：ＹＥＳ）、ＣＰＵ２１は装置一覧表示を実行するかを判断する（Ｓ１８）。
【００３６】
装置一覧表示中に表示更新時期に達した時、又は表示モードを装置一覧表示にする指示を取得時（Ｓ１８：ＹＥＳ）、ＣＰＵ２１は装置一覧表示処理を実行する（Ｓ１９）。図８に示す如く、装置一覧表示処理ではＣＰＵ２１は変数Ｍに１を設定する（Ｓ３１）。変数Ｍは情報処理装置２が記憶する縫製装置３、４の識別情報を作業工程別に順に読み出すための変数である。ＣＰＵ２１はＭ番目の装置のソフトウェアのバージョン情報を取得する（Ｓ３２）。ＣＰＵ２１は、Ｓ１３と同様に、Ｓ３２で取得したバージョン情報と、記憶部２４が記憶する適正値とを比較し、Ｓ３２で取得したバージョン情報が適正範囲内であるかを判断する（Ｓ３３）。Ｓ３２で取得したバージョン情報が適正範囲内にない時（Ｓ３３：ＮＯ）、ＣＰＵ２１はＭ番目の縫製装置３、４のバージョン情報の表示欄の背景色に警告色を設定する（Ｓ３４）。警告色は適正範囲内であるバージョン情報と、適正範囲内でないバージョン情報を区別可能にＬＣＤ２７に表示する色であればよく、予め設定した色であってもよいし、管理者が設定した色であってもよい。
【００３７】
Ｓ３２で取得したバージョン情報が適正範囲内にある時（Ｓ３３：ＹＥＳ）、又はＳ３４の次に、ＣＰＵ２１はＭ番目の縫製装置３、４の縫製条件を取得する（Ｓ３５）。ＣＰＵ２１は、Ｓ１３と同様に、Ｓ３５で取得した縫製条件と、記憶部２４が記憶する適正値とを比較し、Ｓ３５で取得した縫製条件が適正範囲内であるかを判断する（Ｓ３６）。Ｓ３５で取得した縫製条件が適正範囲内にない時（Ｓ３６：ＮＯ）、ＣＰＵ２１はＭ番目の縫製装置３、４の縫製条件の表示欄の背景色に警告色を設定する（Ｓ３７）。Ｓ３７の警告色はＳ３５と同じあってもよいし、互いに異なってもよい。Ｓ３５で取得した縫製条件が適正範囲内にある時（Ｓ３６：ＹＥＳ）、又はＳ３７の次に、ＣＰＵ２１はＭ番目の縫製装置３、４のバージョン情報、縫製条件をリスト表示する（Ｓ３８）。ＣＰＵ２１は変数Ｍが最後の数かを判断する（Ｓ３９）。最後の数は情報処理装置２が記憶する縫製装置３、４の数であり、具体例では八である。変数Ｍが最後の数ではない時（Ｓ３９：ＮＯ）、ＣＰＵ２１は変数Ｍを一だけ加算し（Ｓ４０）、処理をＳ３２に戻す。変数Ｍが最後の数である時（Ｓ３９：ＹＥＳ）、ＣＰＵ２１は装置一覧表示処理を終了し、処理を図７の情報処理装置処理に戻す。Ｓ１９の後、ＣＰＵ２１は処理をＳ１１に戻す。
【００３８】
装置一覧表示処理に依り、ＣＰＵ２１はＬＣＤ２７に図９の画面８０を表示する。画面８０はリスト８４を含む。リスト８４は表示欄８１〜８３を含む。表示欄８１は縫製装置３、４の識別情報を示す。表示欄８２は縫製装置３、４が使用するソフトウェアのバージョン情報を表示する。ＣＰＵ２１がＳ３３で適正範囲内と判断したバージョン情報の背景は白色であり、適正範囲内でないと判断したバージョン情報の背景は警告色（黒色）である。表示欄８３は縫製装置３、４の縫製条件を表示する。ＣＰＵ２１がＳ３６で適正範囲内と判断した縫製条件の背景は白色であり、適正範囲内でないと判断した縫製条件の背景は警告色（黒色）である。ＣＰＵ２１は適正範囲内でないと判断した設定条件の内、Ｓ２５で設定条件を送信した縫製装置３と、Ｓ２４で警告を送信した縫製装置３を区別可能に表示してもよい。
【００３９】
表示一覧表示を実行しない時（Ｓ１８：ＮＯ）、ＣＰＵ２１は個別表示を実行するかを判断する（Ｓ２０）。個別表示中に表示更新時期に達した時、又は表示モードを個別表示にする指示を取得時（Ｓ２０：ＹＥＳ）、ＣＰＵ２１は個別表示処理を実行する（Ｓ２１）。作業者は例えば装置一覧表示のリスト８４の内、所望の縫製装置３、４を指定することで表示モードを個別表示にする指示を入力する。図１０に示す如く、個別表示処理ではＣＰＵ２１は表示対象となる縫製装置３、４を特定する（Ｓ５１）。ＣＰＵ２１は例えば作業者が指定した識別情報がＭ００１−１である縫製装置３の縫製情報を特定する。ＣＰＵ２１はＳ５１で特定した縫製装置３、４のソフトウェアのバージョン情報を取得する（Ｓ５２）。ＣＰＵ２１は、Ｓ１３と同様に、Ｓ５２で取得したバージョン情報と、記憶部２４が記憶する適正値とを比較し、Ｓ５２で取得したバージョン情報が適正範囲内であるかを判断する（Ｓ５３）。Ｓ５２で取得したバージョン情報が適正範囲内にない時（Ｓ５３：ＮＯ）、ＣＰＵ２１はＭ番目の縫製装置３、４のバージョン情報の表示欄の背景色に警告色を設定する（Ｓ５４）。Ｓ５４の警告色は、Ｓ３４、Ｓ３７の警告色と互いに同じであってもよいし、互いに異なっていてもよい。
【００４０】
Ｓ５２で取得したバージョン情報が適正範囲内にある時（Ｓ５３：ＹＥＳ）、又はＳ５４の次に、ＣＰＵ２１はＳ５１で特定した縫製装置３、４の縫製条件を取得する（Ｓ５５）。ＣＰＵ２１は、Ｓ１３と同様に、Ｓ５５で取得した縫製条件と、記憶部２４が記憶する適正値とを比較し、Ｓ５５で取得した縫製条件が適正範囲内であるかを判断する（Ｓ５６）。Ｓ５５で取得した縫製条件が適正範囲内にない時（Ｓ５６：ＮＯ）、ＣＰＵ２１はＳ５６で特定した縫製装置３、４の縫製条件の表示欄の背景色に警告色を設定する（Ｓ５７）。Ｓ５７の警告色は、Ｓ３４、Ｓ３７、Ｓ５６の警告色の一部又は全部と互いに同じであってもよいし、互いに異なっていてもよい。Ｓ５５で取得した縫製条件が適正範囲内にある時（Ｓ５６：ＹＥＳ）、又はＳ５７の次に、ＣＰＵ２１はＳ５１で特定した縫製装置３、４のバージョン情報、縫製条件をリスト表示する（Ｓ５８）。ＣＰＵ２１は例えば図１１の画面８５を表示する。画面８５は表示欄８７〜８９、入力キー９０を含む。表示欄８７はＳ５１で特定した縫製装置３、４の識別情報を表示する。表示欄８８は縫製装置３、４のソフトウェアのバージョン情報を表示する。識別情報がＭ００１−１である縫製装置３のメイン、モータ、パネルのバージョン情報は何れも適正範囲内でないので背景は警告色（黒色）である。表示欄８９は縫製装置３、４の縫製条件を表示する。識別情報がＭ００１−１である縫製装置３の縫製条件は何れも適正範囲内であるので背景は白色ある。入力キー９０は個別表示を終了し、一覧表示を実行する指示を入力する。ＣＰＵ２１は以上で個別表示処理を終了し、処理を図７の情報処理装置処理に戻す。Ｓ２１の後、ＣＰＵ２１は処理をＳ１１に戻す。
【００４１】
表示更新時期ではない時（Ｓ１７：ＮＯ）、又は個別表示を実行しない時（Ｓ２２：ＮＯ）、ＣＰＵ２１は、縫製装置３、４に対応する作業工程を変更する指示を取得したかを判断する（Ｓ２２）。作業者は縫製装置３、４に割り当てた作業工程を変更する時、入力部２８を操作して縫製装置３、４に割り当てる作業工程を変更する指示を入力する。作業工程を変更する指示を取得時（Ｓ２２：ＹＥＳ）、ＣＰＵ２１は指示に従って記憶部２４の作業工程記憶領域２４１が記憶する縫製装置３、４に対応する作業工程を変更する（Ｓ２３）。ＣＰＵ２１は処理をＳ１１に戻す。作業工程を変更する指示を取得していない時（Ｓ２２：ＮＯ）、又はＳ２３の次にＣＰＵ２１は処理をＳ１１に戻す。ＣＰＵ２１は情報処理装置２の電源をオフにする時、情報処理装置処理を終了する。
【００４２】
上記実施形態において、情報処理システム１、情報処理装置２、通信Ｉ／Ｆ２５、ＬＣＤ２７、記憶部２４、ＣＰＵ２１、入力部２８、縫製装置３、４は本発明の情報処理システム、情報処理装置、通信部、表示部、記憶装置、制御部、入力部、縫製装置の一例である。リムーバブルメディア５、縫製装置３は本発明の端末装置の一例である。ＬＣＤ３７は本発明の表示装置の一例である。Ｓ１１を実行するＣＰＵ２１は本発明の条件取得部の一例である。Ｓ３８を実行するＣＰＵ２１は本発明の条件表示制御部の一例である。Ｓ５８を実行するＣＰＵ２１は本発明の特定条件表示部の一例である。Ｓ２４を実行するＣＰＵ２１は本発明の警告送信部の一例である。Ｓ１５を実行するＣＰＵ２１は本発明の条件送信部の一例である。Ｓ１１は本発明の条件取得工程の一例であり、Ｓ３８は本発明の条件表示制御工程の一例である。
【００４３】
図９に示す如く上記実施形態の情報処理システム１の情報処理装置２は作業工程毎に縫製装置３、４の識別情報と設定条件をＬＣＤ２７に比較可能に表示する。管理者はＬＣＤ２７を参照することで、管理者が指示した条件とは異なる条件を設定した縫製装置３、４と管理者が指示した条件を設定した縫製装置３、４を区別できる。情報処理システム１は管理者が複数の縫製装置３、４の設定条件を取得する手間を省くことができる。
【００４４】
情報処理装置２は複数の縫製装置３、４の内、設定条件をＬＣＤ２７に表示する縫製装置３、４を入力する入力部２８を備える。ＣＰＵ２１は、ＬＣＤ２７が表示する複数の縫製装置３、４の内の、入力部２８が入力した縫製装置３、４の設定条件をＬＣＤ２７に表示する（Ｓ５８）。故に情報処理システム１の情報処理装置２は複数の縫製装置３、４の内の特定の縫製装置３、４の設定条件を個別にＬＣＤ２７に表示できる。管理者はＬＣＤ２７を参照することで、管理者が指示した縫製装置３、４の設定条件を個別に確認できる。
【００４５】
記憶部２４は作業工程毎に設定条件の適正範囲を記憶する。ＣＰＵ２１は、記憶部２４が記憶する作業工程が同じである複数の縫製装置３、４の各々の識別情報と設定条件を、当該設定条件が記憶部２４が記憶する適正範囲内か否かを区別可能にＬＣＤ２７に表示する（Ｓ３８）。故に情報処理システム１の情報処理装置２は複数の縫製装置３、４の各々に対応する設定条件が適正範囲内か否かを区別可能に表示する。情報処理システム１は管理者が各設定条件が適正範囲内か否かを判断する手間を省くことができる。
【００４６】
設定条件は、縫製装置３、４で縫製する縫製模様、縫製速度、縫目長さ、及び縫製に必要なパラメータに関する縫製条件、並びに当該縫製装置３、４が使用するソフトウェアのバージョン情報の少なくとも何れかを含む。縫製条件は作業工程毎に設定する。故に情報処理システム１は縫製模様、縫製速度、縫目長さ、及び縫製に必要なパラメータに関する縫製条件、並びに縫製装置３、４が使用するソフトウェアのバージョン情報の少なくとも何れかを比較表示できる。同一の作業工程を行う複数の縫製装置３は同一又は類似するバージョンのソフトウェアを使用して縫製を行うことが好ましい。設定条件がソフトウェアのバージョン情報である時、情報処理システム１は管理者が情報処理システム１内の縫製装置３、４が使用するソフトウェアのバージョン情報を作業工程毎に確認する手間を省くことができる。同一の作業工程を行う複数の縫製装置３、４は同一又は類似する縫製条件で縫製を行うことが好ましい。設定条件が縫製条件である時、情報処理システム１は管理者が情報処理システム１内の縫製装置３、４の縫製条件を作業工程毎に確認する手間を省くことができる。
【００４７】
ＣＰＵ２１は、記憶部２４が記憶する適正範囲内にない設定条件を、ＬＣＤ３７に警告表示する表示指示を縫製装置３に送信する（Ｓ２４）。縫製装置３は情報処理装置２から表示指示を取得した時、ＬＣＤ３７に対応する縫製装置３の設定条件が適正範囲内にないことを示す警告メッセージを表示する（Ｓ６４）。故に情報処理システム１は設定条件が適正範囲内にないことを、ＬＣＤ３７に警告メッセージを表示できる。作業者はＬＣＤ３７を参照することで、縫製装置３の設定条件が適正範囲内にないことを確認でき、必要に応じて縫製装置３の設定条件を変更する操作ができる。
【００４８】
情報処理装置２のＣＰＵ２１は、記憶部２４が記憶する適正範囲内にない設定条件を送信した縫製装置３に、適正範囲内となる設定条件を送信する。縫製装置３は受信した設定条件を記憶部３４に記憶して設定条件を更新する（Ｓ６）。故に、情報処理システム１の縫製装置３は適正範囲内に入る設定条件を確実に使用できる。
【００４９】
本発明の情報処理装置、情報処理システム、情報処理方法は上記実施形態の他に種々変更できる。情報処理システムが備える装置の種類、数、構成等は適宜変更してよい。設定条件を情報処理装置２に送信する所定時機は適宜変更してよい。縫製装置３、４が情報処理装置２に送信する設定条件の種類、形式等は適宜変更してよい。縫製装置４の識別情報は、リムーバブルメディア５が付与してもよい。表示部、表示装置はプラズマディスプレイ、有機ＥＬディスプレイ等他の表示機器でもよい。記憶装置はＨＤＤ、ＳＳＤ等の他の記憶機器でもよい。
【００５０】
情報処理装置が処理を実行する為の指令を含むプログラムは情報処理装置２がプログラムを実行する迄に、情報処理装置が備える記憶機器が記憶すればよい。プログラムの取得方法、取得経路、プログラムを記憶する機器の各々は適宜変更してよい。情報処理装置はプロセッサが実行するプログラムをケーブル又は無線通信を介して他の装置から受信し、フラッシュメモリ等の記憶装置に記憶してもよい。他の装置は例えばＰＣ、ネットワーク網を介して接続するサーバを含む。
【００５１】
情報処理装置２が実行する処理の各ステップはＣＰＵ２１が実行する例に限らず、他の電子機器（例えば、ＡＳＩＣ）が一部又は全部の処理を実行してもよい。同様に縫製装置３、４が実行する処理の各ステップはＣＰＵ３１、４１が実行する例に限らず、他の電子機器（例えば、ＡＳＩＣ）が一部又は全部の処理を実行してもよい。上記処理の各ステップは複数の電子機器（例えば、複数のＣＰＵ）が分散処理してもよい。上記実施形態の状況情報取得処理と応答処理の各ステップは必要に応じて順序の変更、ステップの省略と追加ができる。本発明は情報処理装置２の制御部からの指令に基づき、情報処理装置２上で稼動するオペレーティングシステム（ＯＳ）等が実際の処理の一部又は全部を行い、該処理に依り上記実施形態の機能を実現する態様も含む。
【００５２】
縫製装置の識別情報は、複数の縫製装置を区別可能な情報であればよく、文字、図柄等適宜変更してよい。設定条件の種類は適宜変更してよい。記憶部２４が記憶する設定条件の適正値は適宜変更してよい。ＣＰＵ２１は適正範囲内である設定条件の表示態様と、適正範囲内でない設定条件の表示態様を別にしてもよい。表示態様は背景色の他、文字色、文字の太さ、下線等の装飾の有無、点灯／点滅の有無を含む。作業工程が同じである複数の縫製装置の各々の識別情報と設定条件を比較可能に表示する態様は適宜変更してよい。情報処理装置は例えば、作業工程が同じである縫製装置毎にリストを分けて、識別情報と設定条件の対応を表示してもよい。情報処理装置は縫製装置の種類毎に作業工程を設定した時、縫製装置の種類毎にリストを分けて、識別情報と設定条件の対応を表示してもよい。情報処理装置は例えば、Ｓ２０、Ｓ２１の処理を省略し、個別表示処理を実行不能であってもよいし、作業者が指定した作業工程の縫製装置に関する設定条件をリスト表示する処理を実行可能でもよい。
【００５３】
情報処理装置２は、Ｓ１３〜Ｓ１５、Ｓ２４、Ｓ２５の一部又は全部を省略してもよい。縫製装置３はＳ６３〜Ｓ６８の一部又は全部を省略してもよい。情報処理装置２はＳ１４、Ｓ１５を省略し、設定条件が適正範囲内にないと判断した時（Ｓ１３：ＮＯ）、表示指示を送信してもよい（Ｓ２４）。該時、縫製装置３は受信した表示指示に依り、ＬＣＤ３７に警告メッセージを表示してよい。情報処理装置２は、設定条件が適正範囲内にないと判断した時に適正値を縫製装置３に送信する設定条件と、設定条件が適正範囲内にないと判断した時に表示指示を縫製装置３に送信する設定条件と、設定条件が適正範囲内にないと判断した時に縫製装置３に何も送信しない設定条件を設けてもよい。該時、情報処理装置２は適正範囲内にないと判断した設定条件に応じた処理をすればよい。情報処理装置２は設定条件の変更履歴を縫製装置３毎に記憶してもよい。管理者は変更履歴を適宜参照することで、縫製作業の効率化に寄与する設定条件の分析等ができる。
【符号の説明】
【００５４】
１      情報処理システム
２      情報処理装置
３、４      縫製装置
５      リムーバブルメディア
２１、３１、４１    ＣＰＵ
２２、３２、４２    ＲＯＭ
２３、３３、４３    ＲＡＭ
２４、３４、４４、５２    記憶部
２５、５５    通信Ｉ／Ｆ
２７、３７    ＬＣＤ
２８    入力部
２９    ドライブ装置
５１    通信装置
５３    制御部
【図１】
2020121063.tif 000003
【図２】
2020121063.tif 000004
【図３】
2020121063.tif 000005
【図４】
2020121063.tif 000006
【図５】
2020121063.tif 000007
【図６】
2020121063.tif 000008
【図７】
2020121063.tif 000009
【図８】
2020121063.tif 000010
【図９】
2020121063.tif 000011
【図１０】
2020121063.tif 000012
【図１１】
2020121063.tif 000013